(57)【要約】【課題】  プログレッシブスキャンタイプの撮像素子により得られた高精細な画像情報を劣化させることなく装置外部に伝送する。【解決手段】  互いにインタレースした毎秒ｎフィールドの第１のデジタルビデオ信号と、毎秒ｎフレームのノンインタレース画像からなる第２のデジタルビデオ信号とを選択的に出力する撮像手段と、前記撮像手段より出力されたデジタルビデオ信号の情報量を圧縮する圧縮手段と、マイクロフォンを使ってデジタル音声信号を生成する音声生成手段と、前記第１のデジタルビデオ信号を前記圧縮された状態で前記デジタル音声信号と共に周辺装置に伝送する第１の伝送モードと、前記第２のデジタルビデオ信号を前記圧縮された状態で前記デジタル音声信号と共に周辺装置に伝送する第２の伝送モードで伝送するインターフェイスとを有する。【選択図】  図１
2004242357.tif 000002
【特許請求の範囲】
【請求項１】
プログレッシブスキャンタイプの撮像素子により得られた動画像情報を用いて、互いにインタレースした毎秒ｎ（ｎは２以上の整数）フィールドの画像からなる第１のデジタルビデオ信号と、毎秒ｎフレームのノンインタレース画像からなる第２のデジタルビデオ信号とを生成し、前記第１のデジタルビデオ信号と第２のデジタルビデオ信号を選択的に出力する撮像手段と、
前記撮像手段より出力された第１のデジタルビデオ信号または第２のデジタルビデオ信号を高能率符号化することによりその情報量を圧縮する圧縮手段と、
マイクロフォンを使ってデジタル音声信号を生成する音声生成手段と、
前記圧縮手段により圧縮された前記第１のデジタルビデオ信号または第２のデジタルビデオ信号と前記音声生成手段から出力されたデジタル音声信号とを多重し、前記第１のデジタルビデオ信号と第２のデジタルビデオ信号が圧縮された状態で周辺装置に伝送するインターフェイスを備え、
前記インターフェイスは、前記第１のデジタルビデオ信号を前記圧縮された状態で前記デジタル音声信号と共に伝送する第１の伝送モードと、前記第２のデジタルビデオ信号を前記圧縮された状態で前記デジタル音声信号と共に伝送する第２の伝送モードとを有することを特徴とする撮像装置。
【請求項２】
メモリを備え、前記音声生成手段は前記デジタル音声信号を前記メモリに書き込み、前記圧縮手段は前記撮像手段より出力された第１のデジタルビデオ信号または第２のデジタルビデオ信号に対して高能率符号化処理を施して前記メモリに書き込む高能率符号化回路を有し、前記インターフェイスは前記高能率符号化されたデジタルビデオ信号と前記デジタル音声信号とを前記メモリから読み出して前記周辺装置に伝送することを特徴とする請求項１記載の撮像装置。
【請求項３】
前記インターフェイスは、ＩＥＥＥ１３９４シリアルバス規格に従うフォーマットにて前記デジタル音声信号と前記デジタルビデオ信号とを多重して伝送することを特徴とする請求項１記載の撮像装置。
【発明の詳細な説明】
【技術分野】
【０００１】
本発明は撮像装置に関し、特には、プログレッシブスキャンタイプの撮像素子により得られたビデオ信号の処理に関する。
【背景技術】
【０００２】
従来より、ビデオカメラで撮影したビデオ信号を処理する装置としてカメラ一体型ＶＴＲが知られている。従来の装置では、ＮＴＳＣ方式においては、インターレース画像で１秒間に６０フィールド（３０フレーム）のレートで撮像し、記録再生している。
【０００３】
この種の装置において、静止画再生を行った場合、フレーム画像を構成する２つのフィールドの間に１／６０秒の時間差があるため、動きの速い被写体の場合には各フィールド画像間の違いにより画像がぶれてしまうことがある。
【０００４】
そのため、静止画を再生する場合、フィールド画像を出力することが考えられるが、フィールド画像を使った場合には、垂直方向の解像度が低下してしまう。
【０００５】
この問題への対策として、例えば、特開平８−２０５１９３号公報に記載されているように、同一フレーム内の他のフィールドの画像を補間するに際し、フィールド間の画像の動きを検出し、動きがない部分には同じフレーム内の他のフィールドの画像を使って補間し、動きのある部分には同一フィールド内の画像を使って補間を行うことで、垂直方向の解像度の低下を防止することが考えられている。
【特許文献１】特開平８−２０５１９３号公報
【発明の開示】
【発明が解決しようとする課題】
【０００６】
しかし、このような方法では、画面内で動きのない部分しか実質的な垂直解像度を上げることができず、動きのある部分においては依然垂直解像度が低いままである。
【０００７】
更に、スロー再生は基本的に動きのある被写体であるため、前述の方法では解像度の低下を防止することができない。また、再生時にいわゆる電子ズームの処理を行った場合にも同様の問題が発生する。
【０００８】
また、近年では、カメラ一体型ＶＴＲの撮像素子として、１秒間に６０フレームのノンインタレース画像を得ることができるプログレッシブスキャンタイプのＣＣＤ（以下プログレッシブＣＣＤ）が実用化されつつある。このプログレッシブＣＣＤを使って得られた画像はスロー再生を行った場合にも動きのある部分で画像にぶれが少なく、垂直解像度の低下もない。
【０００９】
しかし、従来のカメラ一体型ＶＴＲにおいては、記録再生のデータレートの問題から、プログレッシブＣＣＤで得られた毎秒６０フレームの画像（以下プログレッシブ画像）を全て記録することができない。そのため、通常の動画撮影モード時には６０フィールドのインタレース画像に変換して記録し、静止画撮影モードの時においてのみ３０フレームのプログレッシブ画像を記録していた。
【００１０】
そのため、動画撮影モードで記録された画像を静止画再生やスロー再生するとやはり前述の様な問題が発生してしまう。
【００１１】
また、この種のカメラ一体型ＶＴＲとしてビデオ信号をデジタル信号として記録再生するデジタルＶＴＲが主流となりつつある。
【００１２】
デジタルＶＴＲは画像情報をデジタル信号のまま扱うという特徴からコンピュータとの相性がよく、近年、パーソナルコンピュータ（以下ＰＣ）の画像の取り込み用に用いられることが多くなってきた。ＰＣの画像モニタはプログレッシブスキャンタイプのディスプレイが主流である。しかし、前述の通り、デジタルＶＴＲを含めたカメラ一体型ＶＴＲではインターレース画像を記録再生しており、撮像された動画像をＰＣに取り込んで表示する際にはノンインタレース画像に変換してから表示する必要がある。そのため、やはり前述のように画質が劣化してしまい、良好な画像を表示することができない。
【００１３】
このように、プログレッシブＣＣＤを備えていてもこれを有効に利用することはされていない。
【００１４】
本発明は前述の如き問題を解決することを目的とする。
【００１５】
本発明の更に他の目的は、プログレッシブスキャンタイプの撮像素子により得られた高精細な画像情報を劣化させることなく装置外部に伝送可能とする処にある。
【課題を解決するための手段】
【００１６】
このような目的下において、本発明においては、プログレッシブスキャンタイプの撮像素子により得られた動画像情報を用いて、互いにインタレースした毎秒ｎ（ｎは２以上の整数）フィールドの画像からなる第１のデジタルビデオ信号と、毎秒ｎフレームのノンインタレース画像からなる第２のデジタルビデオ信号とを生成し、前記第１のデジタルビデオ信号と第２のデジタルビデオ信号を選択的に出力する撮像手段と、前記撮像手段より出力された第１のデジタルビデオ信号または第２のデジタルビデオ信号を高能率符号化することによりその情報量を圧縮する圧縮手段と、マイクロフォンを使ってデジタル音声信号を生成する音声生成手段と、前記圧縮手段により圧縮された前記第１のデジタルビデオ信号または第２のデジタルビデオ信号と前記音声生成手段から出力されたデジタル音声信号とを多重し、前記第１のデジタルビデオ信号と第２のデジタルビデオ信号が圧縮された状態で周辺装置に伝送するインターフェイスを備え、前記インターフェイスは、前記第１のデジタルビデオ信号を前記圧縮された状態で前記デジタル音声信号と共に伝送する第１の伝送モードと、前記第２のデジタルビデオ信号を前記圧縮された状態で前記デジタル音声信号と共に伝送する第２の伝送モードとを有する構成とした。
【発明の効果】
【００１７】
本発明によれば、プログレッシブスキャンタイプの撮像素子により得られた高精細な動画像を画質劣化なく外部に伝送することができる。
【発明を実施するための最良の形態】
【００１８】
以下、図面を用いて本発明の実施形態について詳細に説明する。
【００１９】
図１は本発明が適用されるカメラ一体型デジタルＶＴＲ１の記録系の構成を示すブロック図である。
【００２０】
図において、撮像部１０１は前述のプログレッシブＣＣＤを使って被写体を撮像し、得られた画像情報をプログレッシブ画像としてカメラ信号処理回路１０３に出力する。
【００２１】
撮像部１０１の構成を図２に示す。
【００２２】
前述のように、本形態で後いられるプログレッシブＣＣＤは、１フィールド（１／６０秒）間に撮像面上の全画素の画像情報を読み出して出力するように構成されており、１チャンネルの出力をもつものと、２チャンネルの出力を持つものとがある。
【００２３】
本形態では、１チャンネルの出力をもつプログレッシブＣＣＤを用いている。
【００２４】
図２において、レンズ、アイリス等を含む光学系２０１を介した被写体光がＣＣＤ２０３に照射される。ＣＣＤ２０３は制御部１２５の制御を受けたＣＣＤ駆動回路２０９によりその駆動タイミングが制御され、１フィールド期間に撮像面上の全ての画素をラスタスキャンの順に出力する。出力された画像情報はサンプルホールド回路２０５により所定の画素配置となるようにサンプリングされ、Ａ／Ｄ変換器２０７により１サンプル複数ビットのデジタル信号に変換され、カメラ信号処理回路１０３に出力される。
【００２５】
図３はカメラ信号処理回路１０３の構成を示す図である。
【００２６】
図３において、カメラ処理回路３０１は撮像部１０１により得られたプログレッシブ画像のデジタルビデオ信号に対して、ガンマ補正、色分離、ホワイトバランス等の処理を施し、フレームメモリ３０３、３０５に出力する。また、モニタ１０５に対してＲＧＢ信号の形態でビデオ信号を出力する。
【００２７】
フレームメモリ３０３、３０４はそれぞれ制御部１２５により書き込みが制御され、１フレームのビデオ信号が入力される毎（本形態では１／６０秒毎）に交互に書き込み状態・読み出し状態となるように制御される。また、各メモリ３０３、３０４はそれぞれ２ポートの出力を持っており、各ポートからは１フレームの偶数ライン、奇数ラインのビデオ信号が並列に出力される。
【００２８】
即ち、フレームメモリ３０５が書き込み状態のとき、図中Ｅで示したフレームメモリ３０３の偶数ラインポートからのビデオ信号がスイッチ３０７のＥ側端子に出力され、Ｏで示した奇数ラインポートからのビデオ信号がスイッチ３０９のＯ側端子に出力される。同様に、フレームメモリ３０３が書き込み状態のとき、フレームメモリ３０５の偶数ラインポートからのビデオ信号がスイッチ３０９のＥ側端子に出力され、奇数ラインポートからのビデオ信号がスイッチ３０７のＯ側端子に出力される。
【００２９】
各スイッチ３０７、３０９はそれぞれ、１／６０秒毎にＥ側端子とＯ側端子に交互に接続してｃｈ１、ｃｈ２のビデオ信号として出力するように制御部１２５により切り換え動作が制御される。
【００３０】
カメラ信号処理回路１０３より出力されるｃｈ１、ｃｈ２の各ビデオ信号の様子を図４に示す。
【００３１】
図４に示したとおり、ｃｈ１のビデオ信号として、偶数フィールド−奇数フィールド−偶数フィールド−奇数フィールドの順で出力されるとき、ｃｈ２のビデオ信号として奇数フィールド−偶数フィールド−奇数フィールド−偶数フィールドの順で出力されるよう、互いに逆のフィールドの画像を１／６０秒毎に切り換えて出力する。図４に示した通り、各チャンネルのビデオ信号はそれぞれ１秒間に６０フィールドの独立したインタレース画像とみなすことができる。
【００３２】
カメラ信号処理回路１０３より出力されたｃｈ１、ｃｈ２のビデオ信号はそれぞれ、メモリ１１３、１１５に出力される。メモリ１１３、１１５に記憶されたビデオ信号はそれぞれ、圧縮処理回路１１７、１１９により圧縮、符号化等の処理が施され、記録回路１２１及びデジタルＩ／Ｆ１２９に出力される。
【００３３】
ここで、圧縮処理回路１１７、１１９について説明する。
【００３４】
図５は圧縮処理回路１１７、メモリ１１３を含む図１の装置の要部の構成を示す図である。なお、図５においては、圧縮処理回路１１７についてのみ説明するが、圧縮処理回路１１９についても同様の構成を備えるものであり、説明は割愛する。
【００３５】
図５において、メモリ１１３に書き込まれたビデオ信号は、水平８画素×垂直８画素からなるブロック毎に所定の順序でＤＣＴ回路４０１及び動き検出回路４０３に出力される。動き検出回路４０３は前記ブロック毎にフィールド間の画像の動きを検出し、ＤＣＴ回路４０１に出力する。ＤＣＴ回路４０１は動き検出回路４０３の検出結果に従ってメモリ１１３からのビデオ信号に対してＤＣＴ処理を施し、量子化回路４０５及び符号量推定回路４０７に出力する。符号量推定回路４０７は量子化回路４０５にて量子化した際に発生する符号量を推定し、量子化回路４０５にて用いる量子化係数を決定する。量子化回路４０５はこの符号量推定回路４０７にて決定された量子化係数によりＤＣＴ回路４０１の出力を量子化し、可変長符号化回路４０９に出力する。可変長符号化回路４０９は量子化回路４０５からの出力をハフマン符号化等の周知の可変長符号を用いて符号化し、メモリ１１３に書き込む。
【００３６】
誤り訂正符号化回路４１１は可変長符号化され、メモリ１１３に書き込まれたビデオ信号に対してパリティデータを付加して誤り訂正符号化する。なお、誤り訂正符号化回路４１１は、後述の如くメモリ１１３に書き込まれた音声信号に対しても同様に誤り訂正符号化を行う。記録処理回路４１３は誤り訂正符号化されたビデオ信号及び音声信号に対して同期データ、ＩＤデータを付加し、記録回路１２１に出力する。
【００３７】
記録回路１２１は、圧縮処理回路１１７、１１９から出力された信号に対して、デジタル変調処理等を施して記録に適した形態に変換し、テープ１２３に記録する。
【００３８】
記録回路１２１の動作について図６から図８を用いて説明する。
【００３９】
図６は記録回路１２１におけるヘッド周辺の構成を示す図である。
【００４０】
図６において、５０３、５０５、５０７、５０９はそれぞれ磁気ヘッドであり、ドラム５０１の周囲に設けられている。テープ１２３はドラム５０１の周囲に略１８０度の範囲に巻き付けられている。ヘッド５０３と５０９及び、ヘッド５０５と５０７とはそれぞれ１８０度の位相差を持っている。また、ヘッド５０３と５０５は互いに異なるアジマスを持っており、ヘッド５０３と５０９、及び、ヘッド５０５と５０７はそれぞれ同じアジマスを持っている。
【００４１】
図７は記録回路１２１の構成を示す図である。圧縮処理回路１１７、１１９より出力されたｃｈ１、ｃｈ２の各信号は、デジタル変調回路６０１、６０３にてＮＲＺＩ等のデジタル変調処理が施され、アンプ６０５、６０７を介してスイッチ６０９、６１１に出力される。スイッチ６０９、６１１はそれぞれ制御部１２５により制御され、後述のプログレッシブ記録モード時にはドラム５０１が１８０度回転する毎にａ側端子とｂ側端子に交互に接続する。
【００４２】
スイッチ６０９のａ側端子から出力された信号は、プログレッシブ記録モードにおいてはスイッチ６１３のａ側端子を介してヘッド５０３に供給され、スイッチ６０９のｂ側端子から出力された信号はヘッド５０７に供給される。スイッチ６１１のａ側端子から出力された信号はスイッチ６１５を介してヘッド５０５に供給され、ｂ側端子から出力された信号はヘッド５０９に供給される。
【００４３】
本形態のＶＴＲはｃｈ１、ｃｈ２の両方のビデオ信号、即ち、撮像部１０１により得られた毎秒６０フレームの動画像を全てテープ１２３に記録するプログレッシブ記録モードと、ｃｈ１のビデオ信号のみを記録する通常記録モードを有しており、制御部１２５は、操作部１２７によりプログレッシブ記録モードが設定された場合、スイッチ６１３をａ側端子に接続すると共に、スイッチ６１５をＰ側端子に接続する。そして、ヘッド５０３、５０５及び、ヘッド５０７、５０９のトレース毎にｃｈ１、ｃｈ２の信号を並列に記録する。
【００４４】
図８（ａ）にプログレッシブ記録モード時のテープ１２３上のトラックの様子を示す。本形態では、１フレーム分の信号を１０本のトラックに記録している。図中７０１Ａで示したプラスアジマスのトラックがヘッド５０３、５０７により形成されたトラックで、７０１Ｂで示したマイナスアジマスのトラックがヘッド５０５、５０９により形成されたトラックである。プログレッシブ記録モードにおいては、１／６０秒間にトラックピッチＴｐで１０本のトラックを形成し、信号を記録する。
【００４５】
次に、通常記録モード時においては、制御部１２５はスイッチ６０９をａ側端子のみに接続すると共に、スイッチ６１５をＮ側端子に接続する。そして、ドラム５０１が１回転する毎にスイッチ６１３をａ側端子とｂ側端子に交互に接続する。
【００４６】
通常記録モードにおいては、テープ１２３をプログレッシブ記録モード時の半分の速度で搬送し、ヘッド５０３と５０５のみを使って記録する。即ち、ドラム５０１の１回転毎にヘッド５０３と５０５に交互に信号を供給して記録する。
【００４７】
図８（ｂ）に通常記録モード時のテープ１２３上のトラックの様子を示す。図中７０３Ａで示したプラスアジマスのトラックがヘッド５０３により形成されたトラックで、７０３Ｂで示したマイナスアジマスのトラックがヘッド５０５により形成されたトラックである。図に示した通り、通常記録モードにおいても１フレーム分の信号を１０本のトラックに記録しているが、通常記録モード時は、テープ１２３をプログレッシブ記録モード時の半分の速度で搬送し、ヘッド５０３と５０５のみを使って記録するので、１／３０秒間にトラックピッチＴｐで１０本のトラックを形成して１フレーム分の信号を記録する。
【００４８】
次に、音声信号の処理について説明する。
【００４９】
マイク１０７により得られた音声信号はマイクアンプ１０９により増幅され、音声信号処理回路１１１に出力される。音声信号処理回路１１１はマイクアンプ１０９からの音声信号をデジタル信号に変換し、更に、記録に適したフォーマットの順に並び替えてメモリ１１３、１１５に出力する。メモリ１１３、１１５に書き込まれた音声信号は前述の如く処理され、ビデオ信号と共に記録回路１２１に出力される。
【００５０】
本形態のデジタルＶＴＲ１は、メモリ１１３、１１５に記憶された各チャンネルのプログレッシブ画像のビデオ信号を圧縮符号化された状態でパソコン１０に出力するためのデジタルＩ／Ｆ１２９を備えている。
【００５１】
即ち、デジタルＩ／Ｆ１２９は、図５において可変長符号化回路４０９により符号化され、メモリ１１３に書き込まれたｃｈ１のビデオ信号と、同様にメモリ１１５に書き込まれたｃｈ２のビデオ信号、及び、音声信号処理回路１１１よりメモリ１１３、１１５にそれぞれ書き込まれた音声信号とを多重し、これらの信号を所定量のデータ毎にパケット化してＩＥＥＥ１３９４シリアルバス規格に準拠したフォーマットに変換して端子１３１を介してパーソナルコンピュータ（以下ＰＣ）１０に出力する。
【００５２】
ここで、本形態では、民生用デジタルＶＴＲのフォーマットである、デジタルＶＣＲ評議会により決められたフォーマットに従ってビデオ信号を圧縮しており、通常の６０フィールドの画像を２５Ｍｂｐｓのデータレートになるように圧縮している。このほかに、音声信号やサブコードを加えて合計で約５０Ｍｂｐｓのデータレートとなる。本形態では６０フレームのビデオ信号を圧縮しているので、伝送レートはビデオ信号だけで約５０Ｍｂｐｓとなり、これに音声信号とサブコードデータを加えると約１００Ｍｂｐｓとなる。
【００５３】
ＩＥＥＥ１３９４シリアルバス規格に準拠したインターフェイスは、伝送レートが約１００Ｍｂｐｓ（Ｓ１００）、２００Ｍｂｐｓ（Ｓ２００）、４００Ｍｂｐｓ（Ｓ４００）の３種類が用意されている。従って、２００Ｍｂｐｓのインターフェイスを使用することにより、本形態のように、プログレッシブＣＣＤにより得られたビデオ信号に対して音声信号及びサブコードデータを多重して伝送した場合でも、動画像信号をプログレッシブ画像のまま余裕をもって伝送することが十分可能である。
【００５４】
即ち、ＰＣ１０により端子１３１を介してプログレッシブ動画像の伝送要求がデジタルＩ／Ｆ１２９に入力されると、デジタルＩ／Ｆ１２９はその旨を示す信号を制御部１２５に出力する。
【００５５】
制御部１２５はＰＣ１０からの要求を受けて前述の如くＶＴＲ１各部を制御してメモリ１１３、１１５に圧縮符号化された動画像信号並びに音声信号を書き込むと共に、メモリ１１３、１１５に記憶された各信号を伝送するべくデジタルＩ／Ｆ１２９に制御信号を出力する。デジタルＩ／Ｆ１２９はプログレッシブ動画像伝送モードにおいては、メモリ１１３、１１５に記憶されている圧縮・符号化されたｃｈ１、ｃｈ２のプログレッシブ画像のビデオ信号を読み出すと共に、メモリ１１３、１１５に記憶されている音声信号を読み出す。そして、これらビデオ信号と音声信号とをパケット化し、ＩＥＥＥ１３９４シリアルバスの規格に従う所定のフォーマットに変換して端子１３１を介してＰＣ１０に出力する。
【００５６】
このように、本形態によれば、ＰＣ１０に対してプログレッシブ画像（６０フレーム／秒）のまま動画像信号を伝送することができる。ＰＣ１０では、伝送されたビデオ信号をノンインタレース画像に変換することなく、伝送された高精細なプログレッシブ画像の動画像をそのままディスプレイに表示することができる。
【００５７】
また、ＰＣ１０より通常のインタレース動画像の伝送要求が入力されると、制御部１２５はメモリ１１３に書き込まれた信号を伝送するべくデジタルＩ／Ｆ１２９に制御信号を出力する。デジタルＩ／Ｆ１２９は制御部１２５より通常伝送モードが指示されると、メモリ１１３に記憶された圧縮符号化された状態のｃｈ１のビデオ信号と音声信号とを読み出す。そして、これらの信号をパケット化し、所定のフォーマットに変換して、ＰＣ１０に出力する。
【００５８】
このように、２つの伝送モードを持つことで、例えば、通常の画像表示においては通常伝送モードで画像を伝送することで装置の負担を削減すると共に消費電力を抑え、高精細な動画像が必要なタイミングでプログレッシブ動画像伝送モードで伝送するといった方法も採ることができる。
【００５９】
このように、本形態では、プログレッシブＣＣＤにより得られたビデオ信号を間引くことなく全てデジタルＩ／Ｆ１２９にてＰＣ１０に出力しているので、ＶＴＲ１をＰＣ１０の画像取り込み用の装置として使用した場合、プログレッシブＣＣＤを使った利点を十分に活用することができる。
【００６０】
近年では、テレビジョン受像機にもプログレッシブスキャンタイプのものが見受けられるようになっており、本形態のＶＴＲ１によれば、ＰＣ１０の代わりにこの種のプログレッシブモニタを接続すれば、撮像部１０１にて得られたプログレッシブ画像をより外部ディスプレイにてモニタすることが可能となる。
【００６１】
更に、本形態では、ビデオ信号と音声信号を圧縮した状態で伝送しているので、伝送レートも極めて少なくてすむ。
【００６２】
また、本形態では、音声処理回路１１１からの音声信号をメモリ１１３、１１５の両方に書き込み、各チャンネルのビデオ信号それぞれに音声信号を多重して伝送しているため、プログレッシブ動画像伝送モードで端子１３１より伝送されたデータのうち、ＰＣ１０にて一方のチャンネルのビデオデータのみが使用された場合でも、音声を得ることができる。
【００６３】
また、本形態では、デジタルＩ／Ｆ１２９によりＰＣ１０からの信号も入力することが可能である。即ち、ＰＣ１０は、画像信号の伝送に先立ち、端子１３１を介してデジタルＩ／Ｆ１２９に対してプログレッシブ動画像を伝送する旨の制御信号を伝送する。デジタルＩ／Ｆ１２９はこのＰＣ１０からの制御信号を制御部１２５に出力する。制御部１２５はデジタルＩ／Ｆ１２９に対してＰＣ１０からの画像信号を受信するべく制御信号を出力すると共に、記録回路１２１に対して記録を行う旨の制御信号を出力する。
【００６４】
デジタルＩ／Ｆ１２９は端子１３１を介してＰＣ１０よりパケット化された信号を入力し、メモリ１１３、１１５に書き込む。制御部１２５は圧縮処理回路１１７、１１９及び記録回路１２１を制御し、ＰＣ１０より伝送され、メモリ１１３、１１５に書き込まれた各信号を前述の如く処理して記録する。
【００６５】
次に、再生時の動作について説明する。
【００６６】
図９は図１のＶＴＲ１の再生系の構成を示す図で、図１と同様の構成については同一番号を付して説明する。
【００６７】
操作部１２７により再生の指示があると、制御部１２５は再生回路１３３を制御して信号の再生を開始する。このとき、ビデオ信号と共に記録されていた付加信号に基づいて前述のプログレッシブ記録モード／通常記録モードの判別を行い、判別結果に従って各モードに適した速度でテープ１２３を搬送させる。また、ヘッドの構成は図６に示した通りであり、判別されたモードに応じて使用するヘッドを切り換える。
【００６８】
記録モードがプログレッシブ記録モードであった場合、再生回路１３３は各ヘッド５０３、５０５、５０７及び５０９のトレース毎に信号を再生し、再生された信号からもとのデジタル信号を検出する。そして、ｃｈ１、ｃｈ２の信号をそれぞれ伸長処理回路１３５、１３７に出力する。伸長処理回路１３５、１３７はそれぞれ、ｃｈ１、ｃｈ２のビデオ信号に対して記録時に対応した伸長処理を施す。
【００６９】
伸長処理回路１３５、１３７の構成を図１０に示す。
【００７０】
図１０は伸長処理回路１３５を含む要部の構成を示す図である。なお、伸長処理回路１３７も同様の構成を持つので、説明は割愛する。
【００７１】
図１０において、再生処理回路８０１は再生回路１３３より出力された信号中の同期、ＩＤデータを検出し、これらのデータに基づいて再生信号をメモリ１１３に書き込む。また、再生信号中から付加データを検出し、制御回路１２５に出力する。前述の通り、制御回路１２５は再生処理回路より出力された付加データに基づいて記録モードを判別する。
【００７２】
誤り訂正復号回路８０３は記録時に付加されたパリティデータを用いて、メモリ１１３に記憶された再生信号に対して誤り訂正復号処理を施し、再生信号中のエラーを訂正する。エラー訂正処理が施された再生ビデオ信号は可変長符号復号回路８０５、逆量子化回路８０７、逆ＤＣＴ回路８０９にて順次処理され、データ量が伸長されてメモリ１１３に書き込まれる。
【００７３】
伸長処理されたビデオ信号はメモリ１１３、１１５より出力回路１３９に出力される。また、音声信号はメモリ１１３、１１５より読み出されて音声信号処理回路１４１に出力され、ここで１チャンネルの信号に変換され、出力回路１３９に出力される。出力回路１３９はこれらビデオ信号、音声信号を多重し、端子１４３を介して外部に出力すると共に、ビデオ信号をＲＧＢ信号の形態に変換してモニタ１０５に出力する。このとき、端子１４３に接続される装置がプログレッシブ画像を処理可能な装置であれば、出力回路１３９はビデオ信号をプログレッシブ画像のまま出力し、また、プログレッシブ画像を処理不能な場合、３０フレームもしくは、６０フィールドのインタレース画像に変換して出力する。
【００７４】
このように、本形態では、端子１４３に接続される装置の種類に応じて、６０フレームのプログレッシブ画像、３０フレームもしくは６０フィールドのインタレース画像として再生ビデオ信号を出力することができる。従って、静止画再生やスロー再生を行う場合には６０フレームのプログレッシブ画像、もしくは、３０フレームのインタレース画像として出力することで、ぶれのない、高精細な静止画、スロー再生画像を得ることができる。また、動画再生を行う場合には６０フレームのプログレッシブ画像、もしくは６０フィールドのインタレース画像として出力することで、動きの滑らかな再生動画像を得ることができる。
【００７５】
なお、図に示した再生系においてもデジタルＩ／Ｆ１２９に対して信号のやり取りが可能である。
【００７６】
即ち、再生回路１３３により再生され、メモリ１１３、１１５に書き込まれた再生信号を、ＰＣ１０からの要求に従い、プログレッシブ動画像伝送モードまたは通常伝送モードにて圧縮符号化された状態でデジタルＩ／Ｆ１２９に出力し、デジタルＩ／Ｆ１２９により前述の如くパケット化、フォーマット化してＰＣ１０に伝送することができる。また、ＰＣ１０より伝送された信号を伸長処理回路１３５、１３７にて処理して端子１４３より外部に出力することも可能である。
【００７７】
また、図１の装置では磁気テープ上にビデオ信号を記録したが、これに限らず、光磁気ディスク等のディスク状記録媒体に記録することも可能である。
【図面の簡単な説明】
【００７８】
【図１】本発明が適用されるＶＴＲの記録系の構成を示す図である。
【図２】図１の撮像部の構成を示す図である。
【図３】図１のカメラ信号処理回路の構成を示す図である。
【図４】図１のカメラ信号処理回路より出力されるビデオ信号の様子を示す図である。
【図５】図１の圧縮処理回路の構成を示す図である。
【図６】図１の記録回路のヘッド構成を示す図である。
【図７】図１の記録回路の構成を示す図である。
【図８】図１の装置の記録フォーマットを示す図である。
【図９】本発明が適用されるＶＴＲの再生系の構成を示す図である。
【図１０】図９の伸長処理回路の構成を示す図である。
【図１】
2004242357.tif 000003
【図２】
2004242357.tif 000004
【図３】
2004242357.tif 000005
【図４】
2004242357.tif 000006
【図５】
2004242357.tif 000007
【図６】
2004242357.tif 000008
【図７】
2004242357.tif 000009
【図８】
2004242357.tif 000010
【図９】
2004242357.tif 000011
【図１０】
2004242357.tif 000012